(57)【特許請求の範囲】
【請求項１】
シートを搬送する搬送ローラ対と、
前記搬送ローラ対の下流に設けられ、シートを搬送するレジストローラ対と、
前記搬送ローラ対と前記レジストローラ対との間で搬送されるシートを案内する湾曲した湾曲搬送路と、
前記湾曲搬送路に設けられ、前記搬送ローラ対と前記レジストローラ対との間でシートに生じさせる撓みを許容する撓み空間と、前記湾曲搬送路を構成する内側のガイド部に回動支点を中心に回動可能に支持され、前記回動支点から搬送方向上流側に延びるアームに、該アームに対して前記湾曲搬送路の湾曲突方向に突出して設けられた押圧部、及び前記回動支点の前記押圧部と反対側に、前記レジストローラ対の上流側近傍において前記湾曲搬送路の内部に突出して設けられた当接部を有する作動部材と、を備え、
前記湾曲搬送路を搬送されてくるシートが前記当接部に当接して前記作動部材を回動させることにより、前記押圧部を、待機位置から前記撓み空間の内部に突出する突出位置に移動し、
前記押圧部の前記待機位置から前記突出位置への移動範囲は、前記レジストローラ対のニップ線よりも前記撓み空間のシートの撓みが形成される側に進入しない範囲である、
ことを特徴とするシート搬送装置。
【請求項２】
搬送ローラ対の回転により前記湾曲搬送路を搬送されるシートは、停止している前記レジストローラ対のニップ部に先端が突き当たった状態で前記搬送ローラ対が回転を継続することによって撓みが形成される、
ことを特徴とする請求項１に記載のシート搬送装置。
【請求項３】
前記湾曲搬送路は略Ｓ字状に形成されており、前記湾曲搬送路を搬送されるシートが前記レジストローラ対の前記ニップ部に突き当たった際に、前記押圧部の移動方向と同一の向きに撓みが形成される、
ことを特徴とする請求項２に記載のシート搬送装置。
【請求項４】
請求項１乃至３のいずれか１項に記載のシート搬送装置と、
前記シート搬送装置で搬送されるシートに画像を形成する画像形成部と、を備えた、
ことを特徴とする画像形成装置。
【発明の詳細な説明】
【技術分野】
【０００１】
本発明は、シートを搬送するシート搬送装置、及び、シート搬送装置を備えた、複写機、ファクシミリ、プリンタ等の画像形成装置に関する。
【背景技術】
【０００２】
従来、画像形成装置においては、シートとシートに形成される画像の位置を合わせるために、搬送されるシートの斜行を補正する斜行補正機構がある。この斜行補正機構は、レジストレーションローラ対（以下、レジストローラ対という）の上流に設けられた上流ローラ対により搬送されるシートの先端をレジストローラ対に突き当てる。この状態で、上流ローラ対でシートを更に搬送することでシートに撓み（ループ）を形成させ、シートの先端部がレジストローラ対のニップ部に沿うことによりシートの先端部の斜行が補正される（特許文献１参照）。本方式は、構成が比較的簡易なことから、画像形成装置では多用されている斜行補正技術である。
【０００３】
近年、画像形成装置の小型化が求められており、それに伴って、湾曲したシート搬送路を持つ画像形成装置が多くなっている。特に、レジストローラ対の上流側では、斜行補正のために形成される撓みを許容するための撓み空間（ループ空間）の確保のため、湾曲搬送路がよく用いられている。
【０００４】
湾曲搬送路を持つ画像形成装置において、フラップ部ＥＦを持つ封筒Ｅを搬送する場合がある。この場合、図６（ａ）に示すように、封筒のフラップ部ＥＦを湾曲搬送路Ｈの内側に位置するように封筒が搬送される場合には、フラップ部ＥＦは湾曲搬送路Ｈの搬送面に沿うことなく直線的になる。そのため、湾曲搬送路Ｈの曲率によっては、フラップ部ＥＦが位置Ａで湾曲搬送路Ｈとレジストローラ対２３との間で突っ張るように当たってしまうことがある。するとレジストローラ対２３のニップ部近傍の拡大概略図である図６（ｂ）に示すように、封筒Ｅの先端にフラップ部ＥＦとの間で空間Ｔができる。この空間Ｔは、シートが斜めに搬送されて斜行補正が必要なときほど、位置Ａでの突っ張り具合がレジストローラ対２３の長手方向で変わるために不均一になりやすい。その結果、停止しているレジストローラ対２３のニップ部に入るとき、折り目がずれる部分が部分的に表れてレジストローラ対２３のニップに対して均一に封筒の先端を突き当てられないため、斜行補正ができなくなるという問題が生じる。
【０００５】
この問題を解消するためには、フラップ部ＥＦが湾曲搬送路Ｈとレジストローラ対２３の間で突っ張らないように、フラップ部ＥＦを湾曲搬送路Ｈの搬送面に沿わせる必要がある。しかし、レジストローラ対のシート搬送方向の上流側に撓み空間Ｓを確保するために、間隔をあけた１対の搬送ガイド部から構成される特許文献１に記載の従来の技術では、フラップ部ＥＦを湾曲搬送路Ｈに沿わせることができない。
【０００６】
一方、湾曲搬送路の内側に、ローラなどの矯正手段を配置し、矯正手段により封筒等の２重になっているシートの湾曲搬送路の内側のシートを所定の押圧力で押圧することによって封筒の膨らみを抑えるための構成が提案されている（特許文献２参照）。この構成によれば、封筒搬送時に封筒のフラップ部を湾曲搬送路に沿わせることが可能となる。
【先行技術文献】
【特許文献】
【０００７】
【特許文献１】特許第２８９３５４０号公報
【特許文献２】特開２００７−１６１４１９号公報
【発明の概要】
【発明が解決しようとする課題】
【０００８】
しかし、特許文献２で提案された構成では、矯正手段が湾曲搬送路の内側から封筒を押圧する構成のため、封筒が搬送される湾曲搬送路の間隔を狭めることになってしまう。したがって、レジストローラ対の上流側に斜行補正のための撓みをシートに形成するための撓み空間を必要とする斜行補正機構にこの矯正手段を適用することは困難である。すなわち、シートに撓みを形成して斜行を補正する斜行補正機構では、矯正手段によってシートの撓みの形成が規制されてしまうため、精度の高いシートの斜行補正を行うことができない。
【０００９】
本開示するシート搬送装置及び画像形成装置は、上記のようなシートの斜行補正が困難となる課題を解決するもので、特に封筒を湾曲搬送路に搬送する場合でも、斜行補正可能とするものである。
【課題を解決するための手段】
【００１０】
シートを搬送する搬送ローラ対と、前記搬送ローラ対で搬送されたシートの先端に当接し得るレジストローラ対と、前記搬送ローラ対と前記レジストローラ対との間の搬送路を構成し、一方のガイド部と、該一方のガイド部との間でシートの撓みを確保する空間を構成する他方のガイド部とを有する搬送ガイドと、前記他方のガイド部に配置され、前記搬送ローラ対で搬送されるシートの先端が前記レジストローラ対に当接しない状態では、前記シートに干渉しない待機位置にあり、前記シートの先端が前記レジストローラ対に当接する状態にあって、前記シートに当接して該シートを前記一方のガイド部に向けて押圧する突出位置に移動する押圧部を有する作動部材と、を備えた、ことを特徴とするシート搬送装置にある。
前記作動部材は、前記湾曲搬送路を構成する内側のガイド部に回動支点を中心に回動可能に支持されており、前記押圧部が前記回動支点を境に搬送上流側にあって湾曲突方向に突出して設けられ、他方に、前記レジストローラ対の上流側近傍において前記湾曲搬送路の内部に突出している当接部が設けられており、前記湾曲搬送路を搬送されてくるシートが前記当接部に当接して前記作動部材を回動させることにより、前記待機位置にある前記押圧部を前記突出位置に移動させる。
【発明の効果】
【００１１】
例えば封筒等のシートを搬送する際、搬送路が湾曲している場合でも、レジストローラ対のニップに均一にシートを搬送し、安定した斜行補正が可能なシート搬送装置及び画像形成装置を提供することができる。
【図面の簡単な説明】
【００１２】
【図１】画像形成装置の概略図。
【図２】本実施の形態によるレジ前ローラ対からレジストローラ対までの湾曲搬送路の概略斜視図。
【図３】第一の実施形態による湾曲搬送路を示す概略断面図。
【図４】その異なる状態を示す図で、（ａ）は、封筒搬送時、フラップ部を湾曲搬送路の内側にセットして搬送したときの、先端がレジストローラ対に当接する前の概略断面図。（ｂ）は、封筒搬送時、フラップ部を湾曲搬送路の内側にセットして搬送したときの、先端がレジストローラ対に当接する状態の概略断面図。
【図５】第二の実施形態による湾曲搬送路を示し、（ａ）は、封筒搬送時、フラップ部を湾曲搬送路の内側にセットして搬送したときの、先端がレジストローラ対に当接する前の概略断面図。（ｂ）は、封筒搬送時、フラップ部を湾曲搬送路の内側にセットして搬送したときの、先端がレジストローラ対に当接する状態の概略断面図。
【図６】封筒の湾曲搬送路での搬送状態を示す図で、（ａ）は、封筒のフラップ部を湾曲搬送路の内側にセットして搬送したときの概略断面図。（ｂ）は、封筒のフラップ部を湾曲搬送路の内側にセットして搬送したときの、レジストローラ対のニップ近傍の概略拡大図。
【発明を実施するための形態】
【００１３】
図１は、本実施の形態による画像形成装置の概略図である。画像形成装置１は、原稿自動給送装置１０３と、原稿読取り装置１００と、画像形成装置本体１０１と、を有する。画像形成装置１は、原稿読取り装置１００と画像形成装置本体１０１との間に排紙トレイ５０が配設される中胴タイプからなる。画像形成装置本体１０１は、Ｙ（イエロー）、Ｍ（マゼンタ）、Ｃ（シアン）、Ｂｋ（ブラック）の各色の画像形成部１０２を備える。各色の画像形成部１０２において、それぞれ像担持体である感光ドラム１１は、帯電ローラ１２によって表面を一様に帯電された後、伝送された画像情報の信号に基づいて駆動されるレーザスキャナ１３によって、潜像を形成される。潜像は、現像器１４によってトナー像として顕在化される。感光ドラム１１上のトナー像は、転写ユニット６０の一部である一次転写ローラ１７により所定の加圧力及び静電的負荷バイアスを付与されることで、中間転写ベルト６１に順次転写される。転写後、感光ドラム１１上に残った僅かな残トナーは、感光ドラムクリーニング１５によって除去回収され、再び、次の画像形成に備える。
【００１４】
一方、シートＰは、給紙カセット２０から１枚ずつ給送され、レジ前搬送ローラ対２５（２５ａ，２５ｂ）で搬送されたのち、湾曲搬送ガイド２４を通り、レジストローラ対（レジストレーションユニット）２３に搬送される。シートは、先端を停止しているレジストローラ対２３（２３ａ，２３ｂ）の圧接部であるニップ部に倣わせて撓み（ループ）を形成することで、シートの先端の斜行が修正される。その後、レジストローラ対２３ａ，２３ｂは、中間転写ベルト６１上のトナー像と同期を取って、シートを転写ユニット６０の中間転写ベルト６１を駆動する転写駆動ローラ６２と転写ローラである二次転写ローラ３５との間に搬送する。中間転写ベルト６１上のカラーのトナー像は、対向配置された転写駆動ローラ６２及び二次転写ローラ３５のニップ部において、所定の加圧力と静電的負荷バイアスが付与されることで、シートに転写される。
【００１５】
また、レジ検知ユニット１１０がレジストローラ対２３ａ，２３ｂと転写ユニット６０との間に配置されている。レジ検知ユニット１１０は、中間転写ベルト６１上のトナー像の画像パターンを読み取り、画像が傾いた分をレーザスキャナ１３の書き込み補正を行うことで、画像が真っ直ぐになるように制御を行っている。この一連の動作によって、シートと画像の相対的な傾きが補正され、成果物の幾何学特性の品質を安定化させている。転写後、中間転写ベルト６１上に残った僅かな残トナーは、クリーニングユニット７０によって除去回収され、再び、次の画像形成に備える。シート上に転写されたトナー像は、定着手段である定着器４０によって、加熱加圧されることで定着され、排紙ローラ対４１により排紙トレイ５０上に排出される。
【００１６】
次に、図２と図３に基づいて、本発明の第一の実施形態によるシート搬送装置を説明する。図２は、レジ前搬送ローラ対２５からレジストローラ対２３までの湾曲搬送路の断面概略図である。シート搬送装置２２は、図２に示すように、シート搬送経路上に設けられている搬送ローラ対を構成するレジ前搬送ローラ対２５及びレジストローラ対２３を有しており、レジ前搬送ローラ対２５は、第一ローラ２５ａと第二ローラ２５ｂとが対向配置されている。そして、第二ローラ２５ｂは第一ローラ２５ａに対して直線的に接離するように支持されており、図示しないバネの弾性力により第一ローラ２５ａに圧接されている。第一ローラ２５ａは、図示しない駆動モータから駆動を受けて回転する駆動ローラであり、第２ローラ２５ｂは、第一ローラ２５ａの回転に従動回転可能な従動ローラであり、第一ローラ２５ａの回転によりレジ前搬送ローラ対２５の回転を可能にしている。
【００１７】
また、レジ前搬送ローラ対２５の下流側に設けられ、シートの斜行を補正するために、搬送されるシートの先端が当接するレジストローラ対２３は、従動ローラ２３ａと駆動ローラ２３ｂで構成されている。そして、停止している従動ローラ２３ａと駆動ローラ２３ｂのニップ部（突き当て部）にシートの先端が沿うようにシートを当接させることで、シートの斜行が補正される。従動ローラ２３ａと駆動ローラ２３ｂは対向配置されており、従動ローラ２３ａは駆動ローラ２３ｂに対して直線的に接離するように支持され、図示しないバネの弾性力により駆動ローラ２３ｂに圧接されている。駆動ローラ２３ｂは、図示しない駆動モータから駆動を受けて回転し、従動ローラ２３ａは駆動ローラ２３ｂに従動回転可能に設けられ、駆動ローラ２３ｂの回転によりレジストローラ対２３の回転を可能にしている。レジ前搬送ローラ対２５とレジストローラ対２３との間は、略Ｓ字状に湾曲した湾曲搬送路Ｈを構成する湾曲搬送ガイド２４が配置され、該湾曲搬送ガイド２４によりシートがレジ前搬送ローラ対２５からレジストローラ対２３に案内される。湾曲搬送ガイド２４の中間位置中央部には、該搬送ガイド２４を横切るように、かつシート先端に当接して回動するセンサ２８が配置されている。
【００１８】
給紙カセット２０から給送されたシートは、レジ前搬送ローラ対２５により図３の矢印方向に搬送され、レジ前搬送ローラ対２５よりも下流に配置されたセンサ２８によりレジ前搬送ローラ対２５によって搬送されてきたシートの先端の位置が検知される。センサ２８の検知情報を基に、レジストローラ対２３を止めた状態で、シートに撓みを形成できるシート搬送量を決定し、そのシート搬送量でレジ前搬送ローラ対２５を継続して回転させる。これにより、シートに撓みを形成させて、レジストローラ対２３のニップ部にシートの先端を均一に当接させ、シートの斜行補正が行なわれる。なお、本実施の形態では、湾曲搬送路Ｈが略Ｓ字状に形成されているため、レジストローラ対側のシートの撓みの向きは常に同一の向きになるように形成される（図３中で左側に凸形状の撓みが形成される）。
【００１９】
図３に示すように、湾曲搬送ガイド２４は、対向配置された一方のガイド部２４ａと他方のガイド部２４ｂ，２６とから構成される。一方のガイド部２４ａは、レジ前搬送ローラ対２５とレジストローラ対２３との間に連続して略Ｓ字状に配置される。他方のガイド部は、レジ前搬送ローラ対２５側の半分程度（センサ２８が位置する部分）までの第１ガイド部２４ｂと、レジストローラ対２３側の第２ガイド部２６とから構成される。ガイド部２４ａと第１ガイド部２４ｂは、略一定間隔からなる搬送経路Ｒを形成する。レジストローラ対２３側における第２ガイド部２６は、第１ガイド部２４ｂとの間で段差が生じている。第２ガイド部２６は、湾曲したシートの外側を案内するガイド部２４ａに対して湾曲したシートの内側を案内する内側搬送ガイド部を構成し、ガイド部２４ａとの間に空間を形成している。すなわち、湾曲搬送路Ｈの下流側に、ガイド部２４ａと第２ガイド部２６の間で、斜行補正のための撓みを形成できる撓み空間Ｓが形成されている。このように、湾曲搬送路Ｈの上流において、レジ前搬送ローラ対２５に近い部分では、湾曲部の出っ張り方向においてガイド部２４ａが内側に位置し、第１ガイド部２４ｂが外側に位置して、搬送経路Ｒを構成している。また、湾曲搬送路Ｈの下流おいて、レジストローラ対２３に近い部分では、湾曲部の出っ張り方向においてガイド部２４ａが外側に位置し、第２ガイド部２６が内側に位置して撓み空間Ｓを構成している。なお、これ以降、湾曲搬送路Ｈにおける撓み空間Ｓを構成する下流側の湾曲部の出っ張り方向の内側を「湾曲搬送路（湾曲搬送ガイド）の湾曲方向の内側」と言う。また、湾曲搬送路Ｈの湾曲部の出っ張り方向の外側を「湾曲搬送路（湾曲販路ガイド）の湾曲方向の外側」と言う。
【００２０】
第２ガイド部２６におけるシート搬送方向と直交する幅方向の中央付近には、作動部材８０が、第２ガイド部２６のレジストローラ対２３側に設けられた枢支軸２７（回動支点）を中心として回動可能に配置されている。作動部材８０は、屈曲した形状の一体部材から構成されている。作動部材８０のうち、枢支軸２７よりレジストローラ対２３に近い側の端部に設けられた当接部８１は、レジストローラ対２３のシート搬送方向の上流側近傍で湾曲搬送路Ｈ内に突出している。作動部材８０のうち、当接部８１と枢支軸２７に対して反対側には、湾曲搬送路Ｈの撓み空間Ｓの内部に突出して封筒のフラップ部を押圧することが可能な押圧部８２が設けられている。該押圧部８２は、枢支軸２７から搬送方向上流側に延びるアーム８０ａに、該アームに対して湾曲搬送路Ｈの湾曲突方向に突出して設けられている。シートが搬送されていないときには、押圧部８２は、湾曲搬送路Ｈの外の待機位置に位置するように、バネ８４により付勢されている。なお、作動部材８０の形状を、当接部８１側を押圧部８２より重くなるようにすることで、自重によって当接部８１を湾曲搬送路Ｈの内部に突出させ、押圧部８２を湾曲搬送路Ｈの外側になるように作動部材８０を回動支持してもよい。また、作動部材８０は、シートにより当接部８１が最大押された場合でも、押圧部８２がレジストローラ対２３のニップ線Ｌよりも、湾曲搬送ガイド２４のガイド部２４ａ側へは進入しないように当接部８１及び押圧部８２の形状（寸法）が設定されている。なお、ニップ線Ｌとは、レジストローラ対２３のニップ部におけるローラの外周の接線である。すなわち、本実施の形態では、押圧部８２の移動範囲は待機位置からニップ線Ｌの位置までの範囲である。
【００２１】
湾曲搬送路Ｈ内で、封筒のフラップ部ＥＦが内側搬送ガイド部である第２ガイド部２６側になるように給紙カセット２０にセットされた封筒Ｅを搬送する場合について、図４（ａ）を用いて説明する。封筒のフラップ部ＥＦが第２ガイド部２６側になるように、封筒Ｅがレジ前搬送ローラ対２５により搬送され、レジストローラ対２３に当接する前に、作動部材８０の当接部８１に接触する。すると、図４（ｂ）に示すように、封筒Ｅの先端が当接部８１に当接することにより作動部材８０が枢支軸２７周りに回動して、押圧部８２が湾曲搬送路Ｈの撓み空間Ｓの内部の突出位置に移動する。その結果、レジストローラ対２３に封筒Ｅの先端が当接する前に、直線的になろうとする封筒Ｅのフラップ部ＥＦ（点線）に、湾曲搬送路Ｈの内部に突出してきた押圧部８２が押圧する。これにより、作動部材８０が湾曲搬送ガイド２４とレジストローラ対２３の間で突っ張ろうとするフラップ部ＥＦのコシを折るように作用して、フラップ部ＥＦを湾曲搬送ガイド２４のガイド部２４ａへ沿わせる方向へと移動させる。すなわち、封筒Ｅの本体部分とフラップ部ＥＦとの折り目部分の開きを狭めることにより、フラップ部ＥＦの、レジストローラ対２３と湾曲搬送ガイド２４との間での突っ張りが起きないようにすることができる。その結果、レジストローラ対２３のニップ部へ封筒Ｅが突入するときに、フラップ部ＥＦの突っ張りによって封筒の先端にできる不均一な空間による折れ目のズレを防止することができる。これにより、均一にレジストローラ対２３のニップへと封筒の先端を当接させることができるため、精度の高い斜行補正が可能となる。
【００２２】
待機位置と突出位置の間で移動可能に設けられている押圧部８２は、待機位置から突出位置へ移動する際に、レジストローラ対２３のニップ線Ｌより、湾曲搬送ガイド２４のガイド部２４ａ側へは進入しない。そのため、封筒Ｅがレジストローラ対２３に当接して、斜行補正のために撓みを形成する際、押圧部８２が湾曲搬送路内に突出していても、シートに撓みを許容するため空間を狭めることはなく、斜行補正能力が低下することはない。なお、押圧部８２の撓み空間Ｓの内部への進入量は、レジストローラ対２３によるシートの撓みの形成に支障が生じないように設定されればよいので、予め設定されているシートの撓み量でのシートの撓みに当接しない範囲であればニップ線Ｌを超えてもよい。すなわち、シートに形成される撓み量は、装置によって予め設定されているため、斜行補正のために形成されたシートの撓みに当接しない所定量で押圧部８２は撓み空間Ｓの内部に進入させることができる。
【００２３】
次に、図５に基づいて、第二の実施形態のシート搬送装置を説明する。図５（ａ）は、フラップ部を湾曲搬送路Ｈの内側搬送ガイド部である第２ガイド部２６側になるようにして封筒Ｅを搬送したときの、封筒先端がレジストローラ対に当接する前の概略断面図である。また、図４（ｂ）は、フラップ部を湾曲搬送路Ｈの第２ガイド部２６側になるようにして封筒を搬送したときの、封筒先端がレジストローラ対に当接するときの概略断面図である。
【００２４】
第二の実施形態のシート搬送装置は、第一の実施形態におけるシート搬送装置の回動可能に設けられた作動部材８０の代わりに、ソレノイドやモータ等で回転されるカムなどの駆動源Ｄの作用で直線的に可動する作動部材８３を設けた構成になっている。したがって、第一の実施形態のシート搬送装置と同一の部分には、同一の符号を付して、その部分の説明は省略する。
【００２５】
作動部材８３は、一体形状からなり、第２搬送ガイド部２６に図５（ａ）の矢印方向に可動自在に支持されており、その先端側は、撓み空間Ｓ内に突出及び待機可能な押圧部８３ａを構成している。押圧部８３ａは、シート搬送方向に湾曲した形状となっている。作動部材８３の後端側は、第２ガイド部２６の裏面側に突出して、突出した部分は駆動源Ｄに連結される連結部８３ｂを構成している。駆動源Ｄは、制御部Ｃにより制御され、制御部Ｃには、センサ２８からの検知信号が入力される。
【００２６】
押圧部８３ａは、封筒Ｅの先端がレジストローラ対２３に当接する直前までは第２ガイド部２６から突出しない待機位置に位置している。そして、制御部Ｃは、封筒の先端が通過したときのセンサ２８からの検知信号に基づいて、封筒Ｅの先端がレジストローラ対２３に当接する直前の位置に到達したと判断する。この判断により、駆動源Ｄを動作させ、押圧部８３ａが撓み空間Ｓの内部に突出する突出位置に移動させる。すなわち、第一の実施形態と同じく、レジストローラ対２３のニップ部に封筒Ｅが突き当たるときに、フラップ部ＥＦが、図５（ｂ）の点線で示す突っ張りが生じる場合には、実線で示すフラップ部ＥＦの状態になるようにフラップ部ＥＦを押圧して移動させる。これにより、フラップ部ＥＦの突っ張りによって封筒の先端にできる不均一な空間による折れ目のズレを防止することができ、均一にレジストローラ対２３のニップへと封筒の先端を当接させることができるため、精度の高い斜行補正が可能となる。なお、搬送されるシートの先端をセンサ２８が検知してからシートの先端がレジストローラ対２３のニップ部の直前に到達するまでの時間（タイミング）は、演算により求めるか又は予めメモリー等に格納されているデータにより得られる。そのため、制御部Ｃは、センサ２８が封筒Ｅの先端を検知して出力される検知信号が入力された後に上記時間が経過したときに、駆動源Ｄの駆動を開始させる。
【００２７】
また、第一の実施形態と同じく、作動部材８３はレジストローラ対２３のニップ線Ｌよりも湾曲搬送ガイドの一方のガイド部２４ａ側へ進入することがなく、斜行補正に必要な撓み空間を狭めることはないため、斜行補正能力が低下することがない。
【００２８】
以上の構成により、湾曲搬送路に封筒を搬送する場合でも、レジストローラ対のニップに安定的にシートを搬送し、斜行補正が可能なシート搬送装置を提供することが可能となる。なお、シート搬送路は、湾曲搬送路でないものにも適用可能であり、また該搬送路に搬送されるシートは、フラップ部を有する封筒に限定するものではない。
【符号の説明】
【００２９】
１…画像形成装置、２３…レジストローラ対、２４…搬送ガイド、２４ａ…一方のガイド部、２４ｂ…他方の（第１）ガイド部、２５…搬送ローラ対（レジ前搬送ローラ対）、２６…第２ガイド部、２７…枢支軸、２８…センサ、８０…作動部材、８１…当接部、８２…押圧部、８３…作動部材、８３ａ…押圧部、８３ｂ…連結部、Ｓ…撓み空間、Ｌ…ニップ線、Ａ…突っ張り部、Ｅ…封筒、ＥＦ…封筒のフラップ部
【図１】
0006548401.tif 000002
【図２】
0006548401.tif 000003
【図３】
0006548401.tif 000004
【図４】
0006548401.tif 000005
【図５】
0006548401.tif 000006
【図６】
0006548401.tif 000007